(57)【要約】【課題】折りたたまれて展示されたサンプル生地をハンガーに懸吊支持させた状態で、即座に拡げることができるサンプル生地用ハンガーを提供する。【解決手段】サンプル生地１の各穴３に通すことにより該サンプル生地を懸吊するための懸吊パイプ１１と、懸吊パイプ１１に一体に設けられ、該パイプ内部と連通するケース１２と、懸吊パイプ１１を展示用什器２２に支持させるための支持手段２１とを備え、ケース１２内部には、ワイヤー１７が巻き取られ、かつバネ１６によって巻き取り方向に常時付勢された巻き取り枠１４が回転自在に設置され、ワイヤー１７は懸吊パイプ１１内を通って外部に引き出され、その先端部にはパイプ先端部に係止可能な係止部材１８が設けられている。【選択図】  図２
2006197951.tif 000002
【特許請求の範囲】
【請求項１】
プリーツ状に折りたたまれて、その折りたたみ端部を貫通するように穴（３）が設けられたサンプル生地（１）を展示するためのハンガー（１０）であって、
前記サンプル生地（１）の各穴（３）に通すことにより該サンプル生地を懸吊するための懸吊パイプ（１１）と、
この懸吊パイプ（１１）に一体に設けられ、該パイプ内部と連通するケース（１２）と、
前記懸吊パイプ（１１）を展示用什器（２２）に支持させるための支持手段（２１）とを備え、
前記ケース（１２）内部には、ワイヤー（１７）が巻き取られ、かつバネ（１６）によって巻き取り方向に常時付勢された巻き取り枠（１４）が回転自在に設置され、
前記ワイヤー（１７）は前記懸吊パイプ（１１）内を通って外部に引き出され、その先端部にはパイプ先端部に係止可能な係止部材（１８）が設けられていることを特徴とするサンプル生地用ハンガー。
【請求項２】
前記支持手段は、前記什器（２２）に引っ掛けられるフック（２１）からなることを特徴とする請求項１記載のサンプル生地用ハンガー。
【請求項３】
前記支持手段は、前記什器（２２）に設けられた支持部（２３）と、前記懸吊パイプ（１１）の後端部に設けられて前記支持部（２３）に水平方向に回転自在に支持される取付け部（２４）とからなることを特徴とする請求項１記載のサンプル生地用ハンガー。
【請求項４】
前記支持部（２３）及び前記取付け部（２４）は互いに嵌合されるパイプからなることを特徴とする請求項３記載のサンプル生地用ハンガー。
【請求項５】
前記係止部材（１８）はサンプル生地の先頭側の前記穴周縁に引っ掛けられる突起（１９）を有し、前記懸吊パイプ（１１）にはサンプル生地の最後尾側の穴周縁に引っ掛けられる突起（２５）が形成されていることを特徴とする請求項１，２，３又は４記載のサンプル生地用ハンガー。
【発明の詳細な説明】
【０００１】
【発明の属する技術分野】
この発明は、サンプル生地用ハンガーに関し、さらに詳細には、例えばカーテンサンプルなどを生地メーカー自身のショールームや、住宅メーカー、販売店などの各種ショールームにおいて展示するために使用されるハンガーに関する。
【０００２】
【従来の技術】
従来、この種のカーテンサンプルは折りたたんだ状態で、しかもハンガーに完全に固定した状態で展示されている。このため、顧客はカーテンサンプルの色合い、模様、手触りなどを確かめることはできるが、拡げることはできない。したがって、実際に拡げたときにカーテンがどのような印象を与えるか分かりにくい。
【０００３】
このようなことから、この出願人は、実際に拡げて印象を確かめることができ、しかも展示用として開閉が何度も繰り返される扱いに耐えうるカーテンサンプルを先に提案した（特許文献１参照）。図７に示すように、このカーテンサンプル１は、プリーツ状に折りたたまれて、その折りたたみ端部２を貫通するように穴３が設けられたものであり、折りたたみ端部２は内蔵された補強シート４で補強されるとともに、各穴３の周縁にはハトメなどの環状補強部５が設けられている。
【０００４】
このカーテンサンプルは、通常は、各穴に通されたハンガーを介して什器の展示バーに支持され、展示される。そして、あるカーテンサンプルを顧客が選択したら、それをハンガーから取り外し、長尺のバーにカーテンサンプルの各穴を通し、バーに沿って拡げるという操作をしている。さらに、顧客がそのカーテンサンプルの拡げた状態を見終えたら、再び各穴にハンガーを通し、什器に戻している。
【０００５】
このように、改良されたカーテンサンプルが本出願人により提案されたものの、これを従来のハンガーを用いて展示した場合、顧客がカーテンサンプルを選択するごとにそれをハンガーから取り外し、長尺バーに支持させるという操作をしなければならず、面倒である。また、顧客の前でカーテンサンプルを即座に拡げることができない。
【０００６】
【特許文献１】
実願２００３−０００９６８号明細書
【０００７】
【発明が解決しようとする課題】
この発明は上記のような技術的背景に基づいてなされたものであって、次の目的を達成するものである。
この発明の目的は、折りたたまれて展示されたサンプル生地をハンガーに懸吊支持させた状態で、即座に拡げることができるサンプル生地用ハンガーを提供することにある。
【０００８】
【課題を解決するための手段】
この発明は上記課題を達成するために、次のような手段を採用している。
すなわち、この発明は、プリーツ状に折りたたまれて、その折りたたみ端部を貫通するように穴（３）が設けられたサンプル生地（１）を展示するためのハンガー（１０）であって、
前記サンプル生地（１）の各穴（３）に通すことにより該サンプル生地を懸吊するための懸吊パイプ（１１）と、
この懸吊パイプ（１１）に一体に設けられ、該パイプ内部と連通するケース（１２）と、
前記懸吊パイプ（１１）を展示用什器（２２）に支持させるための支持手段（２１）とを備え、
前記ケース（１２）内部には、ワイヤー（１７）が巻き取られ、かつバネ（１６）によって巻き取り方向に常時付勢された巻き取り枠（１４）が回転自在に設置され、
前記ワイヤー（１７）は前記懸吊パイプ（１１）内を通って外部に引き出され、その先端部にはパイプ先端部に係止可能な係止部材（１８）が設けられていることを特徴とするサンプル生地用ハンガーにある。
【０００９】
前記支持手段は、前記什器（２２）に引っ掛けられるフック（２１）からなる。あるいは、前記支持手段は、前記什器（２２）に設けられた支持部（２３）と、前記懸吊パイプ（１１）の後端部に設けられて前記支持部（２３）に水平方向に回転自在に支持される取付け部（２４）とで構成することもできる。この場合、前記支持部（２３）及び前記取付け部（２４）は互いに嵌合されるパイプで構成することができる。
【００１０】
前記係止部材（１８）はサンプル生地の先頭側の前記穴周縁に引っ掛けられる突起（１９）を有し、前記懸吊パイプ（１１）にはサンプル生地の最後尾側の穴周縁に引っ掛けられる突起（２５）が形成されている構造とすることが好ましい。
【００１１】
【発明の実施の形態】
この発明の実施の形態を図面を参照しながら以下に説明する。図１は、この発明の第１実施形態を示す外観図であり、図２は断面図である。この発明によるハンガー１０は、カーテンサンプルなどのサンプル生地を懸吊支持するための懸吊パイプ１１と、この懸吊パイプ１１に一体に固定されたケース１２とを備えている。図２に示すように、ケース１２の内部と懸吊パイプ１１の内部とは、懸吊パイプ１１の周壁に設けた開口１３を介して連通している。
【００１２】
ケース１２の内部にはワイヤー１７が巻き取られた巻き取り枠１４が、軸１５により回転自在に設置されている。この巻き取り枠１４は軸１５との間に配置されたバネであるゼンマイ１６により、ワイヤー１７を巻き取る方向に常時付勢されている。ワイヤー１７は開口１３及び懸吊パイプ１１内を通って外部に引き出されている。
【００１３】
ワイヤー１７の先端部には懸吊パイプ１１の先端部に係止可能な係止部材１８が設けられている。これにより、ワイヤー１７の先端部はパイプから常時突出し、懸吊パイプ１１内に引き込まれることがない。係止部材１８は懸吊パイプ１１の先端部に係止する以外にも他の機能を持っており、そのため突起１９とリング２０とで構成されている。突起１９はカーテンサンプルに設けられた先頭側の穴周縁に引っ掛けるためのものであり、リング２０はワイヤー１７を引き出す際に指でつまむためのものである。カーテンサンプルに設けられた最後尾側の穴周縁に引っ掛けるための突起２５は、懸吊パイプ１１に設けられている。
【００１４】
フック２１は懸吊パイプ１１を什器に支持させるための部材である。フック２１の基部２２は、懸吊パイプ１１の後端部に一体に固定された状態でケース１２内に収容されている。図４に示すように、フック２１は懸吊パイプ１１に対し平面的に見て斜め方向を向く関係にある。このようにすることにより、フック２１を什器の展示バー２２に引っ掛けてカーテンサンプル１を展示した際、カーテンサンプル１が展示バー２２に対し平面的に見て斜方向を向いて配置されることになり、多数のカーテンサンプルを展示することができる（図３の折りたたまれたカーテンサンプルを参照）。
【００１５】
次に、上記ハンガーの使用形態について図３を併せて参照しながら説明する。ハンガー１０の懸吊パイプ１１に図６に示したカーテンサンプル１の各穴３を通す。これにより、カーテンサンプル１は懸吊パイプ１１に懸吊支持される。なお、カーテンサンプル１の先頭側の穴３の周縁には係止部材１８の突起１９を引っ掛け、また最後尾側の穴３の周縁には懸吊パイプ１１に設けた突起２５を引っ掛けておく。懸吊パイプ１１に懸吊支持されたカーテンサンプル１は、フック２１を什器の展示バー２２に引っ掛けることにより展示され、同様にして多数種類のカーテンサンプルが展示される。
【００１６】
ここで、展示されているカーテンサンプル１のうち、顧客があるサンプルを選択した場合、図３に示すように拡げて見せることができる。すなわち、ワイヤー１７をその先端部のリング２０をつまんでバネ力に抗して引っ張ると、ワイヤー１７はケース１２から引き出され、それに伴ってカーテンサンプル１も拡がる。この拡がった状態では、カーテンサンプル１はワイヤー１７と懸吊パイプ１１とによって懸吊支持される。
【００１７】
顧客が拡げた状態のカーテンサンプル１を見終えたら、ワイヤー１７に対する引張りを解放してやると、ワイヤー１７はバネ力によりケース１２内に引き込まれ、それに伴ってカーテンサンプル１は再び折りたたまれて懸吊パイプ１１のみによって懸吊支持される。このように、顧客にカーテンサンプルを拡げて見せるにあたり、ワイヤーを引っ張るだけで即座に拡げることができ、また見終えた後もワイヤーの引張りを解放してやるだけで折りたたまれた状態に戻る。
【００１８】
図５はこの発明の第２実施形態を示す一部破断した外観図である。この実施形態は、懸吊パイプ１１の支持手段が上記実施形態のものと異なっている。すなわち、什器の展示バー２２には支持パイプ２３が直立して設けられている。また、懸吊パイプ１１の後端部にはこれと一体に取付けパイプ２４が設けられている。取付けパイプ２４は支持パイプ２３に嵌合され、これにより懸吊パイプ１１は水平方向に回転自在となっている。カーテンサンプルの懸吊形態及び拡げる方法は、上記実施形態と同様である。
【００１９】
図６はこの発明の第３実施形態を示す外観図である。この実施形態は、懸吊パイプ１１の支持手段として第１実施形態で採用されたフック２１と、第２実施形態で採用された支持パイプ２３との双方が設けられている。この実施形態の場合、フック２１及び支持パイプ２４のいずれか一方を選択的に使用することができる。
【００２０】
上記各実施形態は例示にすぎず、この発明は種々の態様を採ることができる。例えば、ワイヤーとは、通常は、金属製のものをいうが、この発明でいうワイヤーにはサンプル生地の穴に通すことが可能であって、しかも巻き取り可能な可撓性を有するもの全般が包含される。したがって、ワイヤーは、金属製のものに限らずプラスチック製、撚り糸からなるもの等他の種々の材料で作られたものであってもよい。
【００２１】
また、コード類の巻き取り装置や巻き尺などにおいて、ケースから引き出されたコード類や巻き尺テープを引き出し位置に保持するブレーキ機構は周知であり、このようなブレーキ機構をこの発明のハンガーに適用してもよい。
【００２２】
【発明の効果】
以上のように、この発明によれば、折りたたまれて展示されたサンプル生地を拡げる際、長尺のバーなどに移し替えて支持させるというような操作が不要である。すなわち、サンプル生地をハンガーに懸吊支持させた状態で、即座に拡げることができる、面倒な操作が不要となる。
【図面の簡単な説明】
【図１】この発明の第１実施形態を示す外観図である。
【図２】同実施形態を示す断面図である。
【図３】使用状態を示す外観図である。
【図４】フックと懸吊パイプとの方向関係を示す平面図である。
【図５】第２実施形態を示す一部破断した外観図である。
【図６】第３実施形態を示す外観図である。
【図７】カーテンサンプルの一例を部分的に示す外観図である。
【符号の説明】
１：カーテンサンプル（サンプル生地）
３：穴
１０：ハンガー
１１：懸吊パイプ
１２：ケース
１４：巻き取り枠
１５：軸
１６：ゼンマイ
１７：ワイヤー
１８：係止部材
１９：突起
２０：リング
２１：フック
２２：展示バー
２３：支持パイプ
２４：取付けパイプ
２５：突起
【図１】
2006197951.tif 000003
【図２】
2006197951.tif 000004
【図３】
2006197951.tif 000005
【図４】
2006197951.tif 000006
【図５】
2006197951.tif 000007
【図６】
2006197951.tif 000008
【図７】
2006197951.tif 000009